【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
連続する３つのフレームの第１画像データと第２画像データと第３画像データとを該各第１、第２、及び第３画像データより高い階調レベル（ｇｒａｙ  ｌｅｖｅｌｓ）を有する第１サブ第１画像データ、第１サブ第２画像データ、及び第１サブ第３画像データと、前記各第１、第２、及び第３画像データより低い階調レベルを有する第２サブ第１画像データ、第２サブ第２画像データ、及び第２サブ第３画像データとにそれぞれ変換する変換部と、
前記第１サブ第１画像データと第１サブ第２画像データと第１サブ第３画像データとを比較し、その結果に応じて前記第１サブ第２画像データを補正して、第１サブ第２画像補正データを出力する第１補正部と、
前記第２サブ第１画像データと第２サブ第２画像データと第２サブ第３画像データとを比較し、その結果に応じて前記第２サブ第２画像データを補正して、第２サブ第２画像補正データを出力する第２補正部とを有することを特徴とする信号処理装置。
【請求項２】
ターゲットガンマ曲線が、前記第Ｎ画像データ（Ｎ＝１、２、３）の階調レベルに対応する透過率を有する曲線であり、第１変換ガンマ曲線が同一の階調レベルにおいて前記ターゲットガンマ曲線と同一又はそれより高い透過率を有する曲線であり、第２変換ガンマ曲線が同一の階調レベルにおいて前記ターゲットガンマ曲線と同一又はそれより低い透過率を有する曲線であり、第１透過率が前記第１変換ガンマ曲線における前記第Ｎ画像データの階調レベルに対応する透過率であり、第２透過率が前記第２変換ガンマ曲線における前記第Ｎ画像データの階調レベルに対応する透過率である時、
前記第１サブ第Ｎ画像データの階調レベルは前記ターゲットガンマ曲線上で前記第１透過率に対応する階調レベルであり、前記第２サブ第Ｎ画像データの階調レベルは前記ターゲットガンマ曲線上で前記第２透過率に対応する階調レベルであることを特徴とする請求項１に記載の信号処理装置。
【請求項３】
前記第１サブ第１画像データの階調レベルが第１基準値以下であり、前記第１サブ第２画像データ及び第１サブ第３画像データの階調レベルが前記第１基準値より大きい第２基準値以上である時、
前記第１補正部は、前記第１サブ第２画像データを補正して、前記第１基準値と第２基準値との間の階調レベルである前記第１サブ第２画像補正データを出力することを特徴とする請求項１に記載の信号処理装置。
【請求項４】
前記第２サブ第１画像データの階調レベルが第３基準値以下であり、前記第２サブ第２画像データ及び第２サブ第３画像データの階調レベルが前記第３基準値より大きい第４基準値以上である時、
前記第２補正部は、前記第２サブ第２画像データを補正して、前記第３基準値と前記第４基準値との間の階調レベルである前記第２サブ第２画像補正データを出力することを特徴とする請求項１に記載の信号処理装置。
【請求項５】
前記第１サブ第２画像補正データと前記第２サブ第２画像補正データとを連続して順次出力する出力部をさらに有することを特徴とする請求項１に記載の信号処理装置。
【請求項６】
連続する３つのフレームの第１画像データと第２画像データと第３画像データとを第１サブ第２画像補正データと第２サブ第２画像補正データに変換する信号処理部であって、該信号処理部は、前記第１、第２、及び第３画像データを前記各第１、第２、及び第３画像データより高い階調レベル（ｇｒａｙ  ｌｅｖｅｌｓ）を有する第１サブ第１画像データ、第１サブ第２画像データ、及び第１サブ第３画像データと、前記各第１、第２、及び第３画像データより低い階調レベルを有する第２サブ第１画像データ、第２サブ第２画像データ、及び第２サブ第３画像データとに各々変換する変換部と、前記第１サブ第１画像データ、第１サブ第２画像データ、及び第１サブ第３画像データを比較してその結果に応じて前記第１サブ第２画像データを補正して、第１サブ第２画像補正データを出力する第１補正部と、前記第２サブ第１画像データ、第２サブ第２画像データ、及び第２サブ第３画像データを比較してその結果に応じて前記第２サブ第２画像データを補正して、第２サブ第２画像補正データを出力する第２補正部と、を含む信号処理部と、
前記第１サブ第２画像補正データに対応する第１データ電圧と、前記第２サブ第２画像補正データに対応する第２データ電圧とを出力するデータ駆動部と、
ゲートオン／オフ電圧を出力するゲート駆動部と、
前記第１データ電圧を受ける第１サブ画素と、前記第２データ電圧を受ける第２サブ画素とを含む複数の画素からなり画像を表示する表示部とを有することを特徴とする液晶表示装置。
【請求項７】
ターゲットガンマ曲線が、前記第Ｎ画像データ（Ｎ＝１、２、３）の階調レベルに対応する透過率を有する曲線であり、第１変換ガンマ曲線が同一の階調レベルにおいてターゲットガンマ曲線と同一又はそれより高い透過率を有する曲線であり、第２変換ガンマ曲線が同一の階調レベルにおいて前記ターゲットガンマ曲線と同一又はそれより低い透過率を有する曲線であり、第１透過率が前記第１変換ガンマ曲線における前記第Ｎ画像データの階調レベルに対応する透過率であり、第２透過率が前記第２変換ガンマ曲線における前記第Ｎ画像データの階調レベルに対応する透過率である時、
前記第１サブ第Ｎ画像データの階調レベルは前記ターゲットガンマ曲線上で前記第１透過率に対応する階調レベルであり、前記第２サブ第Ｎ画像データの階調レベルは前記ターゲットガンマ曲線上で前記第２透過率に対応する階調レベルであることを特徴とする請求項６に記載の液晶表示装置。
【請求項８】
前記第１サブ第１画像データの階調レベルが第１基準値以下であり、前記第１サブ第２画像データ及び第１サブ第３画像データの階調レベルが前記第１基準値より大きい第２基準値以上である時、
前記第１補正部は、前記第１サブ第２画像データを補正して、前記第１基準値と第２基準値との間の階調レベルである前記第１サブ第２画像補正データを出力することを特徴とする請求項６に記載の液晶表示装置。
【請求項９】
前記第２サブ第１画像データの階調レベルが第３基準値以下であり、前記第２サブ第２画像データ及び第２サブ第３画像データの階調レベルが前記第３基準値より大きい第４基準値以上である時、
前記第２補正部は、前記第２サブ第２画像データを補正して、前記第３基準値と第４基準値との間の階調レベルである前記第２サブ第２画像補正データを出力することを特徴とする請求項６に記載の液晶表示装置。
【請求項１０】
連続する３つのフレームの第１画像データと第２画像データと第３画像データとを第１サブ第２画像補正データと第２サブ第２画像補正データに変換する信号処理部であって、該信号処理部は、前記第１、第２、及び第３画像データを前記各第１、第２、及び第３画像データより高い階調レベル（ｇｒａｙ  ｌｅｖｅｌｓ）を有する第１サブ第１画像データ、第１サブ第２画像データ、及び第１サブ第３画像データと、前記各第１、第２、及び第３画像データより低い階調レベルを有する第２サブ第１画像データ、第２サブ第２画像データ、及び第２サブ第３画像データと、に各々変換する変換部と、前記第１サブ第１画像データ、第１サブ第２画像データ、及び第１サブ第３画像データを比較してその結果に応じて前記第１サブ第２画像データを補正して、第１サブ第２画像補正データを出力する第１補正部と、前記第２サブ第１画像データ、第２サブ第２画像データ、及び第２サブ第３画像データを比較してその結果に応じて前記第２サブ第２画像データを補正して、第２サブ第２画像補正データを出力する第２補正部と、前記第１サブ第２画像補正データと前記第２サブ第２画像補正データとを連続して順次出力する出力部とを含む信号処理部と、
前記第１サブ第２画像補正データに対応する第１データ電圧と、前記第２サブ第２画像補正データに対応する第２データ電圧とを出力するデータ駆動部と、
ゲートオン／オフ電圧を出力するゲート駆動部と、
前記第１データ電圧を受ける第１サブ画素と、前記第２データ電圧を受ける第２サブ画素とを各々含む複数の画素と、前記第１データ電圧が印加される複数の第１データラインと、前記第２データ電圧が印加される複数の第２データラインと、前記ゲートオン／オフ電圧が印加される複数のゲートラインとを含んで、画像を表示する表示部とを有することを特徴とする液晶表示装置。